(57)【特許請求の範囲】
【請求項１】
椅子の肘掛けを、椅子フレームの左右側部から立設した支柱部と、該支柱部の上面に載置される肘パッドとにより構成し、
該肘パッドと前記支柱部との間を前後および左右方向の長孔を有する前後動スライダー及び左右動スライダーと該長孔に挿入される前後動用締結部材及び左右動用締結部材とで連結することにより前記肘パッドを前記支柱部に対し前後および左右方向にスライド可能に取付け、前記前後動用締結部材及び左右動用締結部材の各々は前記長孔に挿入されるボルトと該ボルトに取り付けられて前記前後動スライダー及び左右動スライダー上に設けられる摩擦用弾性体とを有し、
前記肘パッドは水平面内で旋回可能に前記前後動用締結部材に係る前記ボルトによって前記支柱部に取り付けられている
ことを特徴とする椅子の肘掛け。
【請求項２】
前記支柱部は可動側となる肘掛け取付部分と前記椅子フレームの左右側部につながった固定部分とで構成され、該固定部分に設けたピンを、前記取付部分に設けた上下方向の多数の係合溝に選択的に係合させることにより高さが段階的調節を可能とされている請求項１記載の椅子の肘掛け。
【請求項３】
前記支柱部の上端にあって前記肘パッドの下面に形成された長孔に嵌合し該支柱部に対し肘パッドの回動角を規制するため四隅部に前記長孔の内側縁に当接する傾斜面を有する規制部を備え、四隅部に形成された前記傾斜面の対角上に対向する一対の前記傾斜面が前記長孔の内側縁に当接することによって肘パッドの回動角を規制する請求項１または２記載の椅子の肘掛け。
【発明の詳細な説明】
【０００１】
【発明の属する技術分野】
本発明は、事務用机等に付随して使用される椅子の肘掛けに係り、特に肘掛けの調整範囲を３次元的に行えるようにした椅子の肘掛けに関する。
【０００２】
【従来の技術】
従来から用いられている椅子の肘掛けは左右の支柱の上端に固定されているのが一般的であるが、最近ではこの肘掛けを使用者の体形等に応じ上下動可能としたものが提案されつつある。
【０００３】
【発明が解決しようとする課題】
しかしながら椅子の座り心地や執務している場合の作業効率等を考えると、１種類で様々な体格の人に適応させるには肘掛けを上下動可能としただけでは無理がある。
【０００４】
すなわち肘掛けの幅や高さは作業効率と椅子の座り心地に大きく影響することは出願人のモニター結果からも明らかであり、特に最近のＯＡ機器を使用する際に顕著に現われている。
【０００５】
このことから様々な体格の人が色々な作業内容に対しても適応させることにより疲れなく使用できるようにした椅子の肘掛けが望まれていた。
【０００６】
【課題を解決するための手段】
本発明は、上記のような要望に応えるために従来の欠点を改良した椅子の肘掛けの提供を課題としてなされたもので、その解決手段としては肘掛けを使用者の好みに応じて調整範囲を３次元的に拡大できるようにしたことにある。
【０００７】
すなわち請求項１記載の発明は、椅子の肘掛けを、椅子フレームの左右側部から立設した支柱部と、該支柱部の上面に載置される肘パッドとにより構成し、該肘パッドと前記支柱部との間を前後方向および左右方向の長孔を有するスライダーと該長孔に挿入される締結部材とで連結することにより前記肘パッドを前記支柱部に対しその前後および左右方向にスライド可能に取付けたことを特徴とする。
【０００８】
また請求項２は、請求項１記載の発明において、前記支柱部を可動側となる肘掛け取付部分と前記椅子フレームの左右側部につながった固定部分とで構成し、該固定部分に設けたピンを、前記取付部分に設けた上下方向の多数の係合溝に選択的に係合させることにより高さの段階的調節を可能としたことを特徴とする。
さらに請求項３は、前記支柱部の上端にあって前記肘パッドの下面に形成された長孔に嵌合し該支柱部に対し肘パッドの回動角を規制するため四隅部に前記長孔の内側縁に当接する傾斜面を有する規制部を設けたことにある。
【０００９】
【発明の実施の形態】
以下、本発明を図１乃至図７に示す実施の形態を参照して説明する。
図１は本発明にかかる椅子の肘掛けを構成する部品を分解した斜視図を示すもので、支柱部１の構成を順を追って説明すると、座部の下側に設けられた椅子フレームの左右側部（図示せず）から立上がった部分に取着されたアーム２があって、このアーム２の上面に設けられた穴２ａに固定部分となる長円形をなす筒状のパイプ材３の下部が挿入され、肘取付金具４とともに締結部材５により締結されてアーム２と一体となっている。
【００１０】
前記パイプ材３の平坦面側の上部には該パイプ材３を貫通するピン６が取付けられ、また内部には図２に示すように断面がＵ字形で、かつ長手方向に前記ピン６の移動を可能とした長孔７ａを有する樹脂製の支柱７と、この支柱７の前記Ｕ字形の開放された部分に取付けられる支柱固定プレート８が挿入されている。
【００１１】
さらにパイプ材３には偏平状の筒形で上下面が開放された同じく樹脂製の上下動スライダー９が外から囲むように嵌込まれ、前記支柱７の長孔７ａに対応する面には一側が長孔に、他側が前記ピン６と係合する大きさの係合溝９ｂ，９ｂ…が複数個の羅列状態に形成された異形孔９ａが設けられている。この上下動スライダー９はパイプ材３、支柱７および支柱固定プレート８を内蔵した状態で樹脂製の支柱カバー１０によりカバーされている。そして支柱カバー１０には上下動スライダー９との間にこの上下動スライダー９が異形孔９ａのある面と直角方向にスライドできるように隙間が形成され、この隙間には一側にプッシュボタン１１が、他側には板バネ１２が相対するように取付けられている。なおプッシュボタン１１のボタン１１ａ部分は容易に押すことができるように支柱カバー１０の壁面に設けた孔１０ａから突出した状態に取付けられている。
【００１２】
したがって通常のロック状態ではパイプ材３のピン６は異形孔９ａの係合溝９ｂの一つに係合されていて、上下動スライダー９の位置が固定されているが、プッシュボタン１１を押すと板バネ１２に抗して移動することができ、これによりピン６のロック状態を解除することができる。
【００１３】
また前記支柱７の頭部は鍔状に形成され、この鍔状部は前記支柱カバー１０の頭部の拡径部分に嵌込まれ、締結部材１３により締結されて支柱カバー１０と一体となっている。なお支柱７の頭部には座付きナット１４が埋込まれている。
【００１４】
前記支柱７の上面には、前記座付きナット１４の中心を中心として平面視偏平な六角形状の突出部７があって、これにスペーサ１５が被され、このスペーサ１５に四隅部に傾斜面１５ａ、１５ａを有する規制部１５ｂが突設されている。
【００１５】
前記規制部１５ｂの上面には回転を規制する回転抵抗部品１６が載置されるようになっている。
【００１６】
肘パッド１７の底部にはその前後方向の端部に樹脂製の板状の左右動スライダー１８Ａ、１８Ｂが当接されており、下側からボルト等の締付部材１９により締結されて一体となっている。
【００１７】
そして左右動スライダー１８Ａ、１８Ｂには左右方向に長孔１８ａがそれぞれ設けられている。また左右動スライダー１８Ａ、１８Ｂの底面には前後方向に長孔２０ａを有するアームレストサポータ２０を前後の端部において接触させ、底部からワッシヤを含むボルト等の締付部材２１を長孔１８ａを通してその突出した部分に摩擦用弾性体２２ａ，ワッシャ２２ｂ、ナット２２ｃ等からなる締付部材２２で締付けることによりアームレストサポータ２０は左右動スライダー１８Ａ，１８Ｂに吊り下げられた状態に締結されるが、この状態のアームレストサポータ２０は左右動スライダー１８Ａ，１８Ｂの長孔１８ａを自由に移動可能となっている。
【００１８】
このアームレストサポータ２０は前記スペーサ１５の上面に載置され、上方から前後方向に長孔２３ａを有する前後動スライダー２３を重ねるように載置して上からこの長孔２３ａを通してボルト２４ａ、ワッシャ２４ｂ、摩擦用弾性体２４ｃ等からなる締結部材２４を前記座付きナット１４に螺合することにより肘パッド１７と支柱部１とは締結されて一体となる。この場合、アームレストサポータ２０は回転抵抗部品１６により締結部材２４の回りにみだりに回転することが防止される。
【００１９】
この前後動スライダー２３の長孔２３ａの周縁下面にはガイド片２３ｂが垂設されており、この長孔２３ａ内に前記規制部１５ｂがスライド自在に嵌合され、この規制部７ｃの各対角の傾斜面１５ａ、１５ａが前記ガイド片２３ｂの内周面に当ることにより該傾斜面１５ａ、１５ａの傾斜角の範囲で肘パッド１７の水平面内での回動範囲が規制されるようになっている。
【００２０】
また前記前後動スライダー２３の周辺下面の側壁２３ｃと前記ガイド片２３ｂの外側面との間には角棒状の緩衝材２５、２５が嵌合されている。
【００２１】
図３は図１を組立たとき、Ａ−Ａ断面で見たアームレストサポータ２０、左右スライダー１８Ａ，１８Ｂ付きの肘パッド１７の裏面図を示す。
【００２２】
上記部品を組立てると支柱７が最下段の位置にある場合は図４の断面図のようになる。
【００２３】
以上、示した部品のうち、金属以外のものについては材質を樹脂製として説明したが、これら従来の金属製から樹脂製とすることにより加工性が良くなるために、例えば、上下動スライダー９の場合には強度面となる異形孔９ａの隣合う係合溝９ｂ，９ｂ…のピッチを細かくすることができる等の効果が得られる。
【００２４】
つぎに作動を説明する。
図４において支柱７を最下段の位置から例えば４番目の位置に固定させるには、まずプッシュボタン１１を押すと板バネ１２はその押力に押されて撓みが減少するので上下動スライダー９は図の右側に移動する。これによりこれまで上下動スライダー９の異形孔９ａの最上位の係合溝９ｂにロックされていたピン６はロックが外れ図５に示す状態となる。
【００２５】
図５の状態では高さのセットが自由となるためプッシュボタン１１を押しながら支柱カバー１０を持って肘パッド１７を容易に引上げることができるから、４番目の位置に上昇させるとこの位置で板バネ１２の復帰力で上下動スライダー９は図の左側に押し戻され、ピン６はその位置の係合溝９ｂにロックされる。図６は中段位置にロックされた状態である。
【００２６】
しかして図示以外でも肘パッド１７は係合溝９ｂの設けられている範囲内で引き上げが可能であるから、最上段の位置でもあるいはその途中の位置でもピン６が係合すればロックすることができる。また下げる場合も同様な手順で操作すればよい。
【００２７】
図７は図６の状態において肘パッド１７部分を前方にスライドさせた状態である。すなわち肘パッド１７の下側に取付けられているアームレストサポータ２０と前後動スライダー２３とは支柱７に対して締結部材２４により締結されているが、前後動スライダー２３の長孔２３ａ内の水平移動は何等拘束されていないから、肘パッド１７に手を掛けて前後方向に動かすと前後動スライダー２３の長孔２３ａの範囲内で前後にスライドできる。したがって図７に示す状態が得られる。また肘パッド１７部分を左右にスライドさせる場合は、肘パット１７の下面に固着されている左右動スライダー１８Ａ，１８Ｂとアームレストサポータ２０とは左右動スライダー１８Ａ，１８Ｂの長孔１８ａ内を移動できるように締結部材２２により締結されているため、肘パッド１７に手を掛けて動かすことにより左右いずれかの所望の位置にスライドすることができる。さらに水平面内での旋回はボルト２４ａを中心として回転させることができる。この回転によるときは支柱７に回転抵抗部品１６を設けてあることによりみだりに回ることはない。
【００２８】
図９〜図１１は肘パッド１７の移動（回動）態様を示している。すなわち図９は肘パッド１７を左右方向へスライドさせた状態であり、図９（Ａ）は外側一杯に張出した状態を、図９（Ｂ）は内方へ一杯に引寄せた状態である。また図１０は肘パッド１７を前後にスライドさせた状態であり、図１０（Ａ）は前方へ一杯に引出した状態を、図１０（Ｂ）は後方へ一杯に後退させた状態を示している。
【００２９】
さらに図１１は肘パッド１７を回転させた状態であり、図１１（Ａ）は肘パッド１７の前側を外方へ、図１１（Ｂ）は内方へ回動させた状態を示している。このときの回動範囲は、前後動スライダー２３の長孔２３ａのガイド片２３ｂに対し規制部１５ｂの対角上の傾斜面１５ａ、１５ａが当接することにより規制され、それ以上の回動はできない。またこの回動は、肘パッド１７の前進時、後退時に拘らず行うことができ、これらの複合動作により使用者の最も好ましい肘パッド位置を選定することができる。
【００３０】
【発明の効果】
本発明は以上説明したように構成したから、つぎに示す効果が得られる。
１）椅子に着座する際に個人の体格差に対する３次元の調節が可能となり、常に体に合う姿勢に着座することができる。
２）現在増加しつつあるコンピュータ作業時におけるキーボード作業とマウス作業などの各種作業別に前腕部の支持を可能とすることにより疲労軽減と作業効率の向上が図られる。
【図面の簡単な説明】
【図１】本発明にかかる椅子の肘掛けを構成する全部品の分解斜視図。
【図２】図１の支柱部品の組立た状態での相互関係を示す断面図。
【図３】図１の肘パッドの取付関係を示すＡ−Ａ断面から見た裏面図。
【図４】本発明にかかる椅子の肘掛けの組立断面図。
【図５】図４の高さを調節中の状態を示す断面図。
【図６】図５の高さ調節完了状態を示す断面図。
【図７】図６における肘パッドを前側にスライドさせた状態を示す断面図。
【図８】図３のＢ−Ｂ断面図。
【図９】（Ａ），（Ｂ）は肘パッドを左右にスライドさせた状態図。
【図１０】（Ａ），（Ｂ）は同前後にスライドさせた状態図。
【図１１】（Ａ），（Ｂ）は同回動させたさせた状態図。
【符号の説明】
１  支柱部
２  アーム
３  パイプ材
４  肘取付金具
５  締結部材
６  ピン
７  支柱
８  支柱固定フレーム
９  上下動スライダー
９ａ  異形孔
９ｂ  係合溝
１０  支柱カバー
１１  プッシュボタン
１２  板バネ
１４  座付きナット
１５ａ  スペーサ
１５ｂ  傾斜面
１５ｃ  規制部
１８Ａ，１８Ｂ  左右動スライダー
１８ａ  長孔
１７  肘パッド
２０  アームレストサポータ
２２  締結部材
２３  前後動スライダー
２３ａ  長孔
２４  締結部材
【図１】
0004027478.tif 000002
【図２】
0004027478.tif 000003
【図３】
0004027478.tif 000004
【図４】
0004027478.tif 000005
【図５】
0004027478.tif 000006
【図６】
0004027478.tif 000007
【図７】
0004027478.tif 000008
【図８】
0004027478.tif 000009
【図９】
0004027478.tif 000010
【図１０】
0004027478.tif 000011
【図１１】
0004027478.tif 000012